(57)【要約】【課題】遮蔽物を回避してデータを送受信できるリモートコントロール装置を提供すること。【解決手段】送受信機１０は、空中線１６を通じて送受信を行う。データ変換器１１は、送受信機１０からのパラレル信号をシリアル信号に変換するとともに、送受信機１０にパラレル信号を供給する。中央処理装置１２は、データ変換器１１にデータ変換を指示する。記憶装置１３は、中央処理装置１２に対する命令を記憶しておく。入力装置１５は、中央処理装置１２に対して入力を行う。表示装置１４は、中央処理装置１２の演算結果を表示する。【選択図】　図１
2004064261.tif 000002
【特許請求の範囲】
【請求項１】
空中線と、
前記空中線を通じて送受信を行う送受信機と、
前記送受信機からのパラレル信号をシリアル信号に変換するとともに、前記送受信機にパラレル信号を供給するデータ変換器と、
前記データ変換器にデータ変換を指示する中央処理装置と、
前記中央処理装置に対する命令を記憶した記憶装置と、
前記中央処理装置に対して入力を行う入力装置と、
前記中央処理装置の演算結果を表示する表示装置と
を有するリモートコントロール装置。
【請求項２】
前記パラレル信号がデータの開始を認識するための開始符号と、
前記パラレル信号の情報を記憶した制御符号と、
実行させる命令を記憶した命令信号と、
信号の良否を判断するための良否判断符号と、
データの終了を示す終了信号とを有し、
前記命令信号が同じ内容の複数個の信号である請求項１記載のリモートコントロール装置。
【請求項３】
前記入力装置は、次の画像を表示させるための頁送りボタンと、前の画像を表示させるための頁戻しボタンとを有する請求項１又は２記載のリモートコントロール装置。
【請求項４】
画面を指し示すポインターを有し、
前記ポインターは前記空中線である請求項１乃至３のいずれかに記載のリモートコントロール装置。
【請求項５】
前記ポインターは伸縮自在である請求項４記載のリモートコントロール装置。
【発明の詳細な説明】
【０００１】
【発明の所属する技術】
本発明は、リモートコントロール装置に関する。
【０００２】
【従来の技術】
従来のリモートコントロール装置は、電気製品の動作に係わる命令を送る場合、赤外線に命令内容を変調して送る形式が一般的に使用されている。
【０００３】
【発明が解決しようとする課題】
しかし、従来のリモートコントロール装置では、赤外線は短距離で命令を送る場合に非常に有効な手段であるが、通常は赤外線の発する方向を一方向に限る設計が多い為、命令を送る装置にリモートコントロール装置を向けて操作しなければならないと言う不便さがある。また、前記リモートコントロール装置と命令を受け取る装置の間に遮蔽物がある場合、赤外線が遮蔽されて命令が届かない場合がある。例えば、パソコンと液晶プロジェクタを無線電送装置で結んでプレゼンテーションを行う場合、パソコン側に付けた無線電送装置を赤外線式リモートコントロール装置から制御しようとしても、前記無線電送装置までの間に遮蔽物が全くないとは限らず、人体や椅子等の遮蔽物で命令が届かない場合もあり得る。
【０００４】
無線で命令を電送した場合、電波は屈折、回折、反射などの効果があり、直線的な伝搬以外にもこれらの物理効果により目的の場所まで電波が伝搬する可能性がある。従って、電波を用いて命令を送る場合はリモートコントロール装置を送る相手に対して直接向ける必要がない。また、画像等の大量なデータを無線電送する場合は通常、データ圧縮技術等の処理を行う必要がある上に電送時にエラーが発生して同じデータを再送する場合が想定され、ケーブル接続と比較して大幅に時間が掛かる。プレゼンテーション等を行っている場合、これらの待ち時間は沈黙の時間となる可能性があり、順調なプレゼンテーションの流れを阻害する可能性がある。従って、プレゼンテーションを行う人が聴衆に気付かれずに頁送りができれば、プレゼンテーションを行う人は途切れの無いプレゼンテーションを行う事が可能となる。しかし、頁送りでパソコンのキーを操作したり、赤外線式のリモートコントロール装置を命令を送る方向に向けたりすれば、聴衆に頁送りをしたことを判ってしまう。従って、無線による命令電送が好ましい方法となる。
【０００５】
近年、パソコンのデータを電送で液晶プロジェクタに送り、そのデータをスクリーン上に表示させてプレゼンテーションを行う場合が増えて来たが、通常はパソコンのキーボードを操作して画面の切り替えを行う為に、１人でプレゼンテーションを行う場合は画面を切り替える度にキー操作をする必要があった。プレゼンテーションを行う人とパソコンの位置が離れて居る場合は、画面を切り替える度にパソコンのところまで行く必要があり、スムーズなプレゼンテーションを行う事が出来なかった。
【０００６】
本発明が解決しようとしている課題は先ずは命令を無線で送信する。その命令を受けた無線電送システムがその命令を実行し、その結果をリモートコントロール装置にフィードバックする装置の構築と、リモートコントロール装置をポインターの様なプレゼンテーションに使う機器と合体させて複合装置を構築する事を課題とする。
【０００７】
【課題を解決するための手段】
本発明のリモートコントロール装置は、空中線と、前記空中線を通じて送受信を行う送受信機と、前記送受信機からのパラレル信号をシリアル信号に変換するとともに、前記送受信機にパラレル信号を供給するデータ変換器と、前記データ変換器にデータ変換を指示する中央処理装置と、前記中央処理装置に対する命令を記憶した記憶装置と、前記中央処理装置に対して入力を行う入力装置と、前記中央処理装置の演算結果を表示する表示装置とを有する。
【０００８】
高周波を使用することにより、屈折、回折、反射などを利用して、直線的な伝搬以外にもこれらの物理効果により目的の場所までデータを伝送させることができる。
【０００９】
また、本発明のリモートコントロール装置は、パラレル信号がデータの開始を認識するための開始符号と、前記パラレル信号の情報を記憶した制御符号と、
実行させる命令を記憶した命令信号と、信号の良否を判断するための良否判断符号と、データの終了を示す終了信号とを有し、前記命令信号が同じ内容の複数個の信号である。
【００１０】
複数の同じ内容の命令信号を送信することで、送受信の状態が悪い場合でも、何回も送受信を繰り返さずにデータを送受信することができる。
【００１１】
また、本発明のリモートコントロール装置は、入力装置が、次の画像を表示させるための頁送りボタンと、前の画像を表示させるための頁戻しボタンとを有する。目的とする画面を自由に表示させることができる。
【００１２】
また、本発明のリモートコントロール装置は、画面を指し示すポインターを有し、前記ポインターを空中線と兼用させても良い。
【００１３】
空中線と兼用させることで、空中線がリモートコントロール装置の内部に収納できないときでも、空中線が邪魔にならずにすることができる。
【００１４】
そして、本発明のリモートコントロール装置は、ポインターが伸縮自在であっても良い。
【００１５】
【発明の実施の態様】
本発明の実施の態様を図面に基づいて説明する。図１は、本発明におけるリモートコントロール装置のハードウエアの構成を示す構成図である。リモートコントロール装置１００は、パソコン間やパソコンと液晶プロジェクタ装置間の様に画像やデータを電送する無線電送システムに電送と同じ周波数を用いて電送に関する命令を送る無線電送装置である。無線装置には同一モジュールで同一周波数の送信と受信が可能なモノリシック型のトランシーバ１０、送信にはパラレル・シリアル変換を行い、受信時にはシリアル・パラレル変換を行うＵＡＲＴ（Ｕｎｉｖｅｒｓａｌ　Ａｓｙｎｃｈｒｏｎｏｕｓ　Ｒｅｃｅｉｖｅｒ　Ｔｒａｎｓｍｉｔｔｅｒ）１１、送信及び受信のデータの管理を行う中央処理装置１２、記憶装置１３、表示装置１４、入力装置１５及び空中線１６で構成される。トランシーバ１０は、モノリシック型で、最大電送速度が１メガビット毎秒のトランシーバである。中央処理装置１２は、目的とする処理が可能であれば、クロック数や処理ビット数は何でも構わない。ここでは、基本クロック周波数３２メガヘルツの８ビットマイクロプロセッサを使用する。記憶装置１３は、処理するものに合せて用量を決める。ここでは、４メガビットのＤＲＡＭ　を使用する。表示装置１４は、カラーでもモノクロでもどちらでも構わないし、駆動方式も液晶をはじめ何であっても構わない。ここではモノクロ液晶を使用する。入力装置１５は、キーパッドを使用した。入力装置１５の基本構成は頁送り、頁戻し、表示の３ボタンからなる。
【００１６】
次に動作について説明する。図４はリモートコントローラの動作のフローチャートを示す。入力装置１５のボタンが押されると、中央処理装置１２が押されたボタンの命令を記憶装置１３から命令を取り出し、図２に示すパケット２００を作成する。パケット２００は、開始符号２１０、制御符号２２０、命令２３０、２４０、２５０、良否判定符号２６０と終了符号２７０により構成される。開始符号２１０は１２ビットの信号「０００１１１１１１１１０」とする。制御符号２２０はパケット番号、行き先、発信元、データ長、その他の送受信に必要なものからなる。３つの命令２３０、２４０、２５０はどれも同じである。このパケット２００の特徴は、同じ命令が数回繰り返されてパケットに付加される。本実施例では３回繰り返されている。なお、命令の回数は送受信の状態に応じて、例えば５〜１０回にしても良いし、逆に減らしても良い。同じ命令を繰り返すのは、命令の内容がノイズで一部破壊されても、反復される回数内で、２回が正常に届けば再送の必要が無いと言うデータ校正の手法による。良否判定符号２６０はＣＲＣ１６等により、送信した信号と受信した信号とが一致したしたか否かで判定する。終了符号２７０は１２ビット信号「１１１００００００００１」を用いる。
【００１７】
送信側はリモートコントロール装置１００とデータ電送システム（図示なし）の送信側とがハンドシェークをする（工程１０１）。リモートコントロール装置１００が命令符号を付加したパケット２００を作る（工程１０２）。リモートコントロール装置１００は命令パケット２００をデータ電送システムに送信する（工程１０３）。データ電送システムは受信したデータと良否判定符号とを比較する（工程１０４）。比較の結果、良と判定した場合（工程１２１）、データ電送システムは受信した命令をデータの伝送先であるパソコン（図示なし）に伝える（工程１０５）。パソコンが命令を実行する（工程１０６）。一方、良でないと判定した場合（工程１２１）、リモートコントロール装置１００は命令パケット２００をデータ電送システムに送信し（工程１０３）、良と判断されるまで（工程１２１）繰り返される。パソコンが命令実行状況をデータ電送システムに返答する（工程１０７）。
【００１８】
このとき、パソコンが送信する命令実行状況の信号を図３に示す。命令実施状況パケット３００は、開始符号３１０、制御符号３２０、実施状況３３０、３４０、３５０、良否判定符号３６０と終了符号３７０により構成される。開始符号３１０は１２ビットの信号「０００１１１１１１１１０」とする。制御符号３２０はパケット番号、行き先、発信元、データ長、その他の送受信に必要なものからなる。３つの実施状況３３０、３４０、３５０はどれも同じである。このパケット３００の特徴は、同じ命令が数回繰り返されてパケットに付加される。本実施例では３回繰り返されている。なお、命令の回数は送受信の状態に応じて、繰り返す回数は自由に設定して構わない。同じ命令を繰り返すのは、命令の内容がノイズで一部破壊されても、反復される回数内で、２回が正常に届けば再送の必要が無いと言うデータ校正の手法による。良否判定符号３６０はＣＲＣ１６等により、送信した信号と受信した信号とが一致したしたか否かで判定する。終了符号３７０は１２ビット信号「１１１００００００００１」を用いる。
【００１９】
データ電送システムは実行状況符号を付加したパケットを作る（工程１０８）。データ電送システムは実行状況パケットをリモートコントロール装置１００に送信する（工程１０９）。リモートコントロール装置１００は、受信したデータと良否判定符号とを比較する（工程１１０）。比較の結果、良と判定した（工程１２２）場合にリモートコントロール装置１００は、表示装置１４に実行状況を表示する（工程１１１）。一方、リモートコントロール装置１００が良でないと判定した（工程１２２）場合、データ電送システムは実行状況パケットをリモートコントロール装置１００に送信し（工程１０９）、良と判断されるまで（工程１２２）繰り返される。
【００２０】
図５は、ポインターの付かないリモートコントロール装置１００の外観図である。リモートコントロール装置１００の上面には、４つのボタン５１〜５４と表示装置１４付く。ボタンは画像を表示させるための表示ボタン５１、次の頁の画像を表示させる頁送りボタン５２、前の頁の画像を表示させる頁戻りボタン５３とリセットボタン５４である。なお、無線電送に必要な空中線１６を配するスペースを充分とる事が出来ない場合がある。例えば、３１５メガヘルツの電波を使用した場合の波長は９５ｃｍとなる。空中線１６はその発射効率を考えた場合、少なくとも四分の一波長の空中線１６が必要な為、２３．７５ｃｍの空中線１６を保持する直線的な部分が必要となる。このようなときは、次に示すポインター６１が空中線１６を兼ね備えるようにしても良い。
【００２１】
図６はポインター６１と合体したリモートコントロール装置１０１の応用例を示す。ポインター６１の部分が長い直線部分となる。ポインター６１の部分を直接空中線１６として用いるか、またはポインター６１の中に空中線１６を格納することにより、空中線１６を直線的に配置出来る。ポインター６１は表示の説明を行う時は上に向いている事が多いため、電波の発射効率も受信効率も高める事が出来る。ポインター６１と空中線１６とを合体させる事でより、良い効果を上げる事が出来る。なお、ポインター６１は伸縮自在にしても良い。
【００２２】
このように、本発明のリモートコントロール装置を、例えばプレゼンテーションに必要な機器と組み合わせることで、液晶プロジェクタを用いてスクリーンに表示をさせてプレゼンテーションを行う場合、一般的に多くのプレゼンターは表示された画像の端に立って、ポインターなどを用いて指しながら内容を説明する際に役立つ。つまり、プレゼンターは、ポインターとリモートコントロール装置が合体させることで、２者を片手で持つ事が出来る。例えば、予備資料があり、片手でこの予備資料を見ながら説明する場合に前記機器は有効な手段となる。
【００２３】
次に、パソコンと液晶プロジェクタを無線データ電送システムと本発明のリモートコントロール装置１００を用いてプレゼンテーションを行う場合、より詳細にその手順を説明する。プレゼンテーションを行うプレゼンターは、先ずはプレゼンテーションの準備をする（工程２０１）。準備にはパソコンなどの装置の結線や立ち上げが含まれる。次に、プレゼンテーション第１頁の表示をパソコンのキーボードを使って表示する（工程２０２）。第１頁の説明がほぼ終わる頃、プレゼンターは頁送りボタン５２を押し、引き続き、表示ボタン５１を押す（工程２０３）。表示は第２頁に切り替わり（工程２０４）、プレゼンターが第２頁の説明を行う。プレゼンターは第３頁が説明の必要がない場合は、頁送りボタン５２を２回押し、続いて表示ボタン５１を押す（工程２０５）。この操作で第３頁は表示されず、第４頁が表示される（工程２０６）。プレゼンターは第４頁の説明を終え、第５頁を表示する為に頁送りボタン５２を１回押して、表示ボタン５１を押す（工程２０７）。第５頁が表示され（工程２０８）、プレゼンターは第５頁の説明を始める。しかし、第４頁の表示が必要になった為、プレゼンターは頁戻りボタン５３を１回押し、表示ボタン５１を押す（工程２０９）。第４頁が表示される（工程２１０）。
【００２４】
この様に実際のプレゼンテーションでは必要に応じて頁を跳ばしたり、前の頁に戻ったりする場合が一般的である。従って、頁送りボタン５２と頁戻りボタン５３と表示ボタン５１の組み合わせで不要な頁を聴衆に見せることなく、プレゼンテーションを遂行出来る。また、リセットボタン５４の機能は頁送りボタン５１及び頁戻りボタン５３の押す回数を間違えた時にこのボタンを押す。リセットボタン５４を押すことで頁送り又は頁戻りの回数がリセットされる。
【００２５】
【発明の効果】
パソコンのデータを無線電送で液晶プロジェクタに送り、そのデータを液晶プロジェクタに表示して行うプレゼンテーションに於いて、本発明のリモートコントロール装置を使う事で１人でも簡単にプレゼンテーションを行う事が出来る様になる事が本発明の効果となる。
【図面の簡単な説明】
【図１】ハードウエアの構成を示す構成図である。
【図２】命令パケットのデータ構成を示す構成図である。
【図３】実施状況返送パケットのデータ構成を示す構成図である。
【図４】命令の送信と命令実施のフローチャートである。
【図５】リモートコントロール装置の外観図である。
【図６】リモートコントロール装置の他の外観図である。
【図７】プレゼンテーションを行う場合のフローチャートである。
【符号の説明】
１０　モノリシック型のトランシーバ
１１　ＵＡＲＴ
１２　中央処理装置
１３　記憶装置
１４　表示装置
１５　入力装置
１６　空中線
５１　表示ボタン
５２　頁送りボタン
５３　頁戻りボタン
５４　リセットボタン
【図１】
2004064261.tif 000003
【図２】
2004064261.tif 000004
【図３】
2004064261.tif 000005
【図４】
2004064261.tif 000006
【図５】
2004064261.tif 000007
【図６】
2004064261.tif 000008
【図７】
2004064261.tif 000009